(57)【要約】      （修正有）【課題】形成される画像の乱れを抑制しつつ、主走査方向における色ずれを補正できる画像形成装置を提供する。【解決手段】画像形成装置は、主走査方向に列状に配される第１の発光素子群と、第１の発光素子群と少なくとも一部が副走査方向に重複するとともに、重複する部分において、第１の発光素子群に属する発光素子の間隔より大きい間隔で配された第２の発光素子群と、第１の発光素子群と少なくとも一部が副走査方向に重複するとともに、重複する部分において、第１の発光素子群に属する発光素子の間隔より小さい間隔で配された第３の発光素子群とを備える発光チップＣ１、Ｃ２・・を有する発光素子ヘッドと、発光素子の光出力を結像させて感光体ドラムを露光し静電潜像を形成させるロッドレンズアレイとから構成される。【選択図】図８
2013071260.tif 000002
【特許請求の範囲】
【請求項１】
像保持体と、
主走査方向に列状に配される発光素子から構成される第１の発光素子列と、
前記主走査方向に列状に配される発光素子から構成され、前記第１の発光素子列の少なくとも一部において当該主走査方向と交差する副走査方向に重複するとともに、当該第１の発光素子列と重複する箇所において、当該第１の発光素子列に属する発光素子の間隔より大きい間隔で配された第２の発光素子列と、
前記主走査方向に列状に配される発光素子から構成され、前記第１の発光素子列の少なくとも一部において前記副走査方向に重複するとともに、当該第１の発光素子列と重複する箇所において、当該第１の発光素子列に属する発光素子の間隔より小さい間隔で配された第３の発光素子列とを備える発光部と、
前記発光素子の光出力を結像させて前記像保持体を露光し静電潜像を形成させる光学素子とを有する発光素子ヘッドを備えた露光手段と、
前記露光手段により露光され前記像保持体に形成された静電潜像を現像する現像手段と、
前記像保持体に現像された画像を被転写体に転写する転写手段と
前記画像が、それぞれ色の異なる複数の色画像の重ね合わせにより構成され、前記複数の色画像のいずれかが前記主走査方向において予め定められた基準に対して狭い場合には、当該色画像の露光において、前記第２の発光素子列に属する発光素子を当該第２の発光素子列と重複する箇所における前記第１の発光素子列に属する発光素子の代わりに選択して当該色画像を拡大し、広い場合には、前記第３の発光素子列に属する発光素子を当該第３の発光素子列と重複する箇所における当該第１の発光素子列に属する発光素子の代わりに選択して当該色画像を圧縮するとともに、当該複数の色画像のうち、少なくとも２の色画像において、当該第１の発光素子列に属する発光素子の代わりに当該第２の発光素子列の発光素子を用いる箇所または当該第１の発光素子列に属する発光素子の代わりに当該第３の発光素子列の発光素子を用いる箇所が、当該主走査方向において互いにずれるように制御する制御手段と
を備えた画像形成装置。
【請求項２】
前記露光手段が、複数の発光素子ヘッドを有し、前記複数の色画像のそれぞれの色画像が、当該複数の発光素子ヘッドのそれぞれの発光素子ヘッドによる露光によって形成されることを特徴とする請求項１に記載の画像形成装置。
【請求項３】
前記複数の発光素子ヘッドのそれぞれの発光素子ヘッドの前記発光部は、前記主走査方向に互いにずらして配置されていることを特徴とする請求項２に記載の画像形成装置。
【請求項４】
前記露光手段の発光素子ヘッドが、前記複数の色画像をそれぞれ形成する露光を時系列的に行うことを特徴とする請求項１に記載の画像形成装置。
【請求項５】
前記第１の発光素子列と前記第２の発光素子列とが重複する箇所の発光素子は、当該第１の発光素子列に属する発光素子と当該第２の発光素子列に属する発光素子とで予め定められた第１の整数比による個数で配され、当該第１の発光素子列と前記第３の発光素子列とが重複する箇所の発光素子は、当該第１の発光素子列に属する発光素子と当該第３の発光素子列に属する発光素子とで予め定められた第２の整数比による個数で配されることを特徴とする請求項１ないし４のいずれか１項に記載の画像形成装置。
【請求項６】
前記発光部は、
発光素子が列状に連続して配され、前記第１の発光素子列の一部を構成する第１の発光素子群と、
発光素子が列状に連続して配され、前記第１の発光素子群の一端部側に当該第１の発光素子群に属する発光素子の配される間隔より大きい間隔にて配され、前記第２の発光素子列の一部を構成する第２の発光素子群と、
発光素子が列状に連続して配され、前記第１の発光素子群の他端部側に前記第１の発光素子群に属する発光素子の配される間隔より小さい間隔にて配され、前記第３の発光素子列の一部を構成する第３の発光素子群と
を有する発光チップを複数備えることを特徴とする請求項１ないし５のいずれか１項に記載の画像形成装置。
【請求項７】
前記制御部は、前記露光手段における前記発光素子ヘッドが前記像保持体の軸方向である前記主走査方向に対して傾いている場合に、当該発光素子ヘッドを当該主走査方向に複数の部分に分けて、時間をずらして露光して傾きの補正を行う箇所と、前記色画像の前記第１の発光素子列に属する発光素子の代わりに前記第２の発光素子列の発光素子を用いる箇所、または当該第１の発光素子列に属する発光素子の代わりに前記第３の発光素子列の発光素子を用いる箇所とが、当該主走査方向においてずれるように制御することを特徴とする請求項１ないし６のいずれか１項に記載の画像形成装置。
【発明の詳細な説明】
【技術分野】
【０００１】
本発明は、画像形成装置に関する。
【背景技術】
【０００２】
電子写真方式を採用した、プリンタや複写機、ファクシミリ等の画像形成装置では、一様に帯電された感光体上に、画像情報を光記録手段によって照射することにより静電潜像を得た後、この静電潜像にトナーを付加して可視化し、記録紙上に転写して定着することによって画像形成が行なわれる。かかる光記録手段として、レーザを用いて主走査方向にレーザ光を走査させて露光する光走査方式の他、近年では、ＬＥＤ（Ｌｉｇｈｔ  Ｅｍｉｔｔｉｎｇ  Ｄｉｏｄｅ：発光ダイオード）アレイ光源を主走査方向に多数、配列してなるＬＥＤヘッドを用いた光記録手段が採用されている。
【０００３】
特許文献１には、発光素子を主走査方向にライン上に配列した書込ユニットを色ごとに備え、色ごとの画像データに基づいた画像を重畳してカラー画像を形成する画像形成装置であって、前記発光素子列の解像度仕様が第１の解像度である第１の書込ユニットと、前記発行素子列の解像度仕様が第２の解像度である第２の書込ユニットと、前記第１の解像度と第２の解像度とに基づいて、前記第１または第２の書込ユニットに対応する色の画像データにおける前記主走査方向の変倍率を設定する倍率設定部と、前記設定された変倍率に基づいて、前記画像データを主走査方向に変倍する変倍部とを備える画像形成装置が開示されている。
【先行技術文献】
【特許文献】
【０００４】
【特許文献１】特開２００８−１４１７３０号公報
【発明の概要】
【発明が解決しようとする課題】
【０００５】
本発明の目的は、形成される画像の乱れを抑制しつつ、主走査方向における色ずれを補正できる画像形成装置を提供することにある。
【課題を解決するための手段】
【０００６】
請求項１に記載の発明は、像保持体と、主走査方向に列状に配される発光素子から構成される第１の発光素子列と、当該主走査方向に列状に配される発光素子から構成され、前記第１の発光素子列の少なくとも一部において前記主走査方向と交差する副走査方向に重複するとともに、当該第１の発光素子列と重複する箇所において、当該第１の発光素子列に属する発光素子の間隔より大きい間隔で配された第２の発光素子列と、前記主走査方向に列状に配される発光素子から構成され、前記第１の発光素子列の少なくとも一部において前記副走査方向に重複するとともに、当該第１の発光素子列と重複する箇所において、当該第１の発光素子列に属する発光素子の間隔より小さい間隔で配された第３の発光素子列とを備える発光部と、前記発光素子の光出力を結像させて前記像保持体を露光し静電潜像を形成させる光学素子とを有する発光素子ヘッドを備えた露光手段と、前記露光手段により露光され前記像保持体に形成された静電潜像を現像する現像手段と、前記像保持体に現像された画像を被転写体に転写する転写手段と前記画像が、それぞれ色の異なる複数の色画像の重ね合わせにより構成され、前記複数の色画像のいずれかが前記主走査方向において予め定められた基準に対して狭い場合には、当該色画像の露光において、前記第２の発光素子列に属する発光素子を当該第２の発光素子列と重複する箇所における前記第１の発光素子列に属する発光素子の代わりに選択して当該色画像を拡大し、広い場合には、前記第３の発光素子列に属する発光素子を当該第３の発光素子列と重複する箇所における当該第１の発光素子列に属する発光素子の代わりに選択して当該色画像を圧縮するとともに、当該複数の色画像のうち、少なくとも２の色画像において、当該第１の発光素子列に属する発光素子の代わりに当該第２の発光素子列の発光素子を用いる箇所または当該第１の発光素子列に属する発光素子の代わりに当該第３の発光素子列の発光素子を用いる箇所が、当該主走査方向において互いにずれるように制御する制御手段とを備えた画像形成装置である。
請求項２に記載の発明は、前記露光手段が、複数の発光素子ヘッドを有し、前記複数の色画像のそれぞれの色画像が、当該複数の発光素子ヘッドのそれぞれの発光素子ヘッドによる露光によって形成されることを特徴とする請求項１に記載の画像形成装置である。
請求項３に記載の発明は、前記複数の発光素子ヘッドのそれぞれの発光素子ヘッドの前記発光部は、前記主走査方向に互いにずらして配置されていることを特徴とする請求項２に記載の画像形成装置である。
請求項４に記載の発明は、前記露光手段の発光素子ヘッドが、前記複数の色画像をそれぞれ形成する露光を時系列的に行うことを特徴とする請求項１に記載の画像形成装置である。
請求項５に記載の発明は、前記第１の発光素子列と前記第２の発光素子列とが重複する箇所の発光素子は、当該第１の発光素子列に属する発光素子と当該第２の発光素子列に属する発光素子とで予め定められた第１の整数比による個数で配され、当該第１の発光素子列と前記第３の発光素子列とが重複する箇所の発光素子は、当該第１の発光素子列に属する発光素子と当該第３の発光素子列に属する発光素子とで予め定められた第２の整数比による個数で配されることを特徴とする請求項１ないし４のいずれか１項に記載の画像形成装置である。
請求項６に記載の発明は、前記発光部は、発光素子が列状に連続して配され、前記第１の発光素子列の一部を構成する第１の発光素子群と、発光素子が列状に連続して配され、前記第１の発光素子群の一端部側に当該第１の発光素子群に属する発光素子の配される間隔より大きい間隔にて配され、前記第２の発光素子列の一部を構成する第２の発光素子群と、発光素子が列状に連続して配され、前記第１の発光素子群の他端部側に前記第１の発光素子群に属する発光素子の配される間隔より小さい間隔にて配され、前記第３の発光素子列の一部を構成する第３の発光素子群とを有する発光チップを複数備えることを特徴とする請求項１ないし５のいずれか１項に記載の画像形成装置である。
請求項７に記載の発明は、前記制御部は、前記露光手段における前記発光素子ヘッドが前記像保持体の軸方向である前記主走査方向に対して傾いている場合に、当該発光素子ヘッドを当該主走査方向に複数の部分に分けて、時間をずらして露光する傾きの補正を行う箇所と、前記色画像の前記第１の発光素子列に属する発光素子の代わりに前記第２の発光素子列の発光素子を用いる箇所、または当該第１の発光素子列に属する発光素子の代わりに前記第３の発光素子列の発光素子を用いる箇所とが、当該主走査方向においてずれるように制御することを特徴とする請求項１ないし６のいずれか１項に記載の画像形成装置である。
【発明の効果】
【０００７】
請求項１の発明によれば、第２の発光素子列および第３の発光素子列を用いない場合に比較して、形成される画像の乱れを抑制しつつ、主走査方向における色ずれの補正ができる。
請求項２の発明によれば、本構成を採用しない場合に比較して、高速な画像形成ができる。
請求項３の発明によれば、本構成を採用しない場合に比較して、拡大または縮小ができる箇所の設定がより容易になる。
請求項４の発明によれば、本構成を採用しない場合に比較して、より小型の画像形成装置が提供できる。
請求項５の発明によれば、本構成を採用しない場合に比較して、拡大または縮小の制御がより容易になる。
請求項６の発明によれば、本構成を採用しない場合に比較して、発光部をより容易に構成できる。
請求項７の発明によれば、本構成を採用しない場合に比較して、形成される画質の乱れがより抑制される。
【図面の簡単な説明】
【０００８】
【図１】第１の実施の形態が適用される画像形成装置の全体構成の一例を示した図である。
【図２】発光素子ヘッドの構成を示した図である。
【図３】発光素子ヘッドにおける回路基板および発光部の上面図である。
【図４】発光チップの構成を説明した図である。
【図５】発光チップとして自己走査型発光素子アレイチップを採用した場合の信号発生回路の構成および回路基板の配線構成を示した図である。
【図６】発光チップの回路構成を説明するための図である。
【図７】発光チップにおける発光サイリスタの配列および隣接する発光チップの関係の一例を説明した図である。
【図８】倍率を縮小する倍率補正を説明した図である。
【図９】倍率を拡大する倍率補正を説明した図である。
【図１０】発光チップの発光サイリスタを駆動するための信号発生回路および補正データ記憶部を説明した図である。
【図１１】発光チップの発光サイリスタの動作を説明するタイミングチャートである。
【図１２】発光素子ヘッドにおいて設定された倍率補正操作点αの一例について説明した図である。
【図１３】発光素子ヘッドにおいて設定された倍率補正操作点αの他の一例について説明した図である。
【図１４】第２の実施の形態が適用される画像形成装置の全体構成の一例を示した図である。
【図１５】発光素子ヘッドにおいて設定された倍率補正操作点αの一例について説明した図である。
【図１６】発光素子ヘッドが感光体ドラムの主走査方向に対して傾いている場合の傾き補正および倍率補正を説明した図である。
【図１７】発光素子ヘッドが感光体ドラムの主走査方向に対して湾曲している場合の傾き補正および倍率補正を説明した図である。
【発明を実施するための形態】
【０００９】
以下、添付図面を参照して、本発明の実施の形態について詳細に説明する。
［第１の実施の形態］
＜画像形成装置１＞
図１は第１の実施の形態が適用される画像形成装置１の全体構成の一例を示した図である。
図１に示す画像形成装置１は、一般にタンデム型と呼ばれる画像形成装置である。この画像形成装置１は、各色の画像データに対応して画像形成を行なう画像形成プロセス部１０、画像形成プロセス部１０を制御する画像出力制御部３０、例えばパーソナルコンピュータ（ＰＣ）２や画像読取装置３に接続され、これらから受信された画像データに対して予め定められた画像処理を施す画像処理部４０を備えている。
【００１０】
画像形成プロセス部１０は、予め定められた間隔を置いて並列的に配置される複数のエンジンからなる画像形成ユニット１１を備えている。この画像形成ユニット１１は、トナー像形成手段の一例である４つの画像形成ユニット１１Ｙ、１１Ｍ、１１Ｃ、１１Ｋから構成されている。画像形成ユニット１１Ｙ、１１Ｍ、１１Ｃ、１１Ｋは、それぞれ、静電潜像を形成してトナー像を保持する像保持体の一例としての感光体ドラム１２、感光体ドラム１２の表面に塗布された感光体を予め定められた電位で帯電する帯電手段の一例としての帯電器１３、帯電器１３によって帯電された感光体を露光し静電潜像を形成する発光素子ヘッド１４、発光素子ヘッド１４によって形成された静電潜像を現像する現像手段の一例としての現像器１５を備えている。ここで、各画像形成ユニット１１Ｙ、１１Ｍ、１１Ｃ、１１Ｋは、現像器１５に収納されたトナーを除いて、構成に違いはない。そして、画像形成ユニット１１Ｙ、１１Ｍ、１１Ｃ、１１Ｋは、それぞれがイエロー（Ｙ）、マゼンタ（Ｍ）、シアン（Ｃ）、黒（Ｋ）のトナー像を形成する。
また、画像形成プロセス部１０は、各画像形成ユニット１１Ｙ、１１Ｍ、１１Ｃ、１１Ｋの感光体ドラム１２にて形成された各色のトナー像を被転写体の一例としての記録用紙Ｐに多重転写させるために、この記録用紙Ｐを搬送する用紙搬送ベルト２１と、用紙搬送ベルト２１を駆動させるロールである駆動ロール２２と、感光体ドラム１２のトナー像を記録用紙Ｐに転写させる転写手段の一例としての転写ロール２３と、記録用紙Ｐにトナー像を定着させる定着手段の一例としての定着器２４とを備えている。
【００１１】
この画像形成装置１において、画像形成プロセス部１０は、画像出力制御部３０から供給される各種の制御信号に基づいて画像形成動作を行う。そして、画像出力制御部３０による制御の下で、パーソナルコンピュータ（ＰＣ）２や画像読取装置３から受信された画像データは、画像処理部４０によって画像処理が施され、画像形成ユニット１１に供給される。そして、例えば黒（Ｋ）色の画像形成ユニット１１Ｋでは、感光体ドラム１２が矢印Ａ方向に回転しながら、帯電器１３により予め定められた電位に帯電され、画像処理部４０から供給された画像データに基づいて発光する発光素子ヘッド１４により露光される。これにより、感光体ドラム１２上には、黒（Ｋ）色画像に関する静電潜像が形成される。そして、感光体ドラム１２上に形成された静電潜像は現像器１５により現像され、感光体ドラム１２上には黒（Ｋ）色のトナー像が形成される。同様に、画像形成ユニット１１Ｙ、１１Ｍ、１１Ｃにおいても、それぞれイエロー（Ｙ）、マゼンタ（Ｍ）、シアン（Ｃ）の各色トナー像が形成される。
【００１２】
各画像形成ユニット１１で形成された感光体ドラム１２上の各色トナー像は、矢印Ｂ方向に移動する用紙搬送ベルト２１の移動に伴って供給された記録用紙Ｐに、転写ロール２３に印加された転写電界により、順次静電転写され、記録用紙Ｐ上に各色トナーが重畳された合成トナー像が形成される。
その後、合成トナー像が静電転写された記録用紙Ｐは、定着器２４まで搬送される。定着器２４に搬送された記録用紙Ｐ上の合成トナー像は、定着器２４によって熱および圧力による定着処理を受けて記録用紙Ｐ上に画像として定着され、画像形成装置１から排出される。
ここでは、記録用紙Ｐ上に定着された画像のうち、各色トナーの画像を色画像と表記する。
【００１３】
＜発光素子ヘッド１４＞
図２は、発光素子ヘッド１４の構成を示した図である。この露光手段の一例としての発光素子ヘッド１４は、ハウジング６１と、発光素子の一例としてのＬＥＤ７１（後述する図４参照）を複数備えた発光部６３と、発光部６３や信号発生回路１００（後述の図３参照）等を搭載する回路基板６２と、ＬＥＤ７１から出射された光出力を結像させて感光体ドラム１２を露光し静電潜像を形成させるための光学素子の一例としてのロッドレンズ（径方向屈折率分布型レンズ）アレイ６４とを備えている。
なお、回路基板６２が信号発生回路１００を搭載していなくともよい。このときは、信号発生回路１００は、回路基板６２の外部に設けられ、発光部６３を制御する制御信号などを、ケーブルなどを介して供給する。ここでは、回路基板６２上に信号発生回路１００が搭載されているとして説明する。
【００１４】
ハウジング６１は、例えば金属で形成され、回路基板６２およびロッドレンズアレイ６４を支持し、発光部６３のそれぞれのＬＥＤ７１において光を出射する発光面とロッドレンズアレイ６４の焦点面となるように設定されている。また、ロッドレンズアレイ６４は、感光体ドラム１２の軸方向（主走査方向）に沿って配置されている。
【００１５】
＜発光部６３＞
図３は、発光素子ヘッド１４における回路基板６２および発光部６３の上面図である。
図３に示すように、発光部６３は、回路基板６２上に、６０個の発光素子アレイチップの一例としての発光チップＣ１〜Ｃ６０を、主走査方向（Ｘ方向）に二列に向かい合わせて千鳥状に配置して構成されている。発光チップＣ１〜Ｃ６０の構成は同じであっても、異なっていてもよい。ここでは、発光チップＣ１〜Ｃ６０は同じであるとして説明する。発光チップＣ１〜Ｃ６０をそれぞれ区別しないときは、発光チップＣまたは発光チップＣ（Ｃ１〜６０）と表記する。なお、主走査方向（Ｘ方向）に直交するＹ方向は、副走査方向である。
さらに、回路基板６２は、発光チップＣの発光を制御する制御手段の一例としての信号発生回路１００を搭載している。
【００１６】
＜発光チップＣ＞
図４は、発光チップＣの構成を説明した図である。
図４（ａ）は、発光チップＣをＬＥＤ７１（本実施の形態では発光サイリスタＬ）の光を出射する方向から見た図である。また図４（ｂ）は、図４（ａ）のＩＶｂ−ＩＶｂ線での断面図である。
発光チップＣは、基板７０上に主走査方向に列状に配される複数のＬＥＤ７１が直線状に等間隔で配された発光素子アレイ８１を備えている。また基板７０の両端部に発光素子アレイ８１を駆動する信号を入出力するためのボンディングパッドである電極部（Ｖｃｃ端子、φ１端子、φ２端子、φＳ端子、φＩ端子）を備えている。ここでは、基板７０の左端部に、Ｖｃｃ端子、φ１端子が設けられている。基板７０の右端部に、φ２端子、φＳ端子、φＩ端子が設けられている。発光素子アレイ８１は、φ１端子とφ２端子との間に配されている。
そして、図４（ｂ）に示すように、それぞれのＬＥＤ７１には光が出射する側にマイクロレンズ７３が形成されている。このマイクロレンズ７３により、ＬＥＤ７１から出射した光が集光され、感光体ドラム１２（図２参照）に対して、効率よく光を入射させる。
このマイクロレンズ７３は、光硬化性樹脂等の透明樹脂からなり、より効率よく光を集光するためその表面は非球面形状をとることが好ましい。また、マイクロレンズ７３の大きさ、厚さ、焦点距離等は、使用されるＬＥＤ７１の波長、使用される光硬化性樹脂の屈折率等により決定される。
なお、発光チップＣの基板７０の裏面にはＧＮＤ端子を構成する裏面電極が設けられている。
【００１７】
なお、「列状」とは、図４（ａ）に示したように複数の発光素子（ＬＥＤ７１）が一直線上に配置されている場合に限らず、複数の発光素子のそれぞれの発光素子が、列方向と直交する方向に対して、互いに異なるずれ量を有して配置されている状態でもよい。例えば、発光素子の光を発生する部分である発光面を画素としたとき、それぞれの発光素子が、列方向と直交する方向に数画素分または数十画素分のずれ量をもって配置されていてもよい。また、隣接する発光素子間で交互に、または複数の発光素子毎に、ジグザグに配置されていてもよい。
【００１８】
以上説明したように、ＬＥＤ７１から出射した光がマイクロレンズ７３で集光され、ロッドレンズアレイ６４を介して、感光体ドラム１２を露光し静電潜像を形成する。そして、静電潜像により、用紙搬送ベルト２１上に画像が形成され、記録用紙Ｐに転写される。ここでは、１つのＬＥＤ７１から出射した光により、用紙搬送ベルト２１上または記録用紙Ｐ上に形成された画像を画素（ドット）と呼ぶ。
【００１９】
本実施の形態では、発光チップＣとして自己走査型発光素子アレイ（ＳＬＥＤ：Ｓｅｌｆ−Ｓｃａｎｎｉｎｇ  Ｌｉｇｈｔ  Ｅｍｉｔｔｉｎｇ  Ｄｅｖｉｃｅ）を搭載したチップ（ＳＬＥＤチップ）を使用するのが好ましい。ＳＬＥＤチップは、ＬＥＤ７１として、ｐｎｐｎ構造を持つ発光サイリスタ（後述する発光サイリスタＬ１〜Ｌ６５）を用い、発光サイリスタＬ１〜Ｌ６５を順次発光させる自己走査機能を有している。
【００２０】
図５は、発光チップＣとして自己走査型発光素子アレイ（ＳＬＥＤ）チップを採用した場合の信号発生回路１００の構成および回路基板６２の配線構成を示した図である。
信号発生回路１００には、画像出力制御部３０（図１参照）より、ライン同期信号Ｌｓｙｎｃ、画像データＶｄａｔａ、クロック信号ｃｌｋ、およびリセット信号ＲＳＴ等の各種制御信号が入力されるようになっている。そして、信号発生回路１００は、これらの各種制御信号に基づいて、例えば画像データＶｄａｔａの並べ替えや出力値の補正等を行い、各発光チップＣ１〜Ｃ６０に対してそれぞれ発光信号φＩ１〜φＩ６０を出力する。ここで、発光信号φＩ１〜φＩ６０をそれぞれ区別しないときは、発光信号φＩまたは発光信号φＩ（φＩ１〜φＩ６０）と表記する。
本実施の形態では、各発光チップＣ（Ｃ１〜Ｃ６０）のφＩ端子に、個別に発光信号φＩ（φＩ１〜φＩ６０）が供給されるようになっている。
【００２１】
また、信号発生回路１００は、入力される各種制御信号に基づき、各発光チップＣ１〜Ｃ６０のφＳ端子にスタート転送信号φＳ、φ１端子に第１転送信号φ１、そしてφ２端子に第２転送信号φ２を出力する。
【００２２】
回路基板６２には、各発光チップＣ１〜Ｃ６０のＶｃｃ端子に接続される電力供給用の電源ライン１０１（電源電圧Ｖｃｃ＝−５．０Ｖ）およびＧＮＤ端子に接続される接地用の電源ライン１０２（接地電圧ＧＮＤ＝±０Ｖ）が設けられている。また、回路基板６２には、信号発生回路１００のスタート転送信号φＳ、第１転送信号φ１、第２転送信号φ２を送信するスタート転送信号ライン１０３、第１転送信号ライン１０４、第２転送信号ライン１０５も設けられている。さらに、回路基板６２には、信号発生回路１００から発光チップＣ１〜Ｃ６０に対して発光信号φＩ１〜φＩ６０をそれぞれ出力する６０本の発光信号ライン１０６＿１〜１０６＿６０も設けられている。ここでも、発光信号ライン１０６＿１〜１０６＿６０をそれぞれ区別しないときは、発光信号ライン１０６または発光信号ライン１６０（１０６＿１〜１０６＿６０）と表記する。
なお、回路基板６２には、６０本の発光信号ライン１０６（１０６＿１〜１０６＿６０）に過剰な電流が流れるのを防止するための６０個の発光電流制限抵抗ＲＩＤが設けられている。また、発光信号φＩ（φＩ１〜φＩ６０）は、ハイレベル（「Ｈ」）およびローレベル（「Ｌ」）の２状態を取りうる。そして、「Ｌ」は電源電圧Ｖｃｃ（−５．０Ｖ）、「Ｈ」は接地電圧ＧＮＤ（±０．０Ｖ）となっている。
【００２３】
図６は、発光チップＣの回路構成を説明するための図である。
図６では、図４（ａ）と異なって、電極部（Ｖｃｃ端子、φ１端子、φ２端子、φＳ端子、φＩ端子）を説明の便宜上、紙面の左側に示している。
発光チップＣは、６５個の転送サイリスタＳ１〜Ｓ６５、６５個の発光サイリスタＬ１〜Ｌ６５を備えている。なお、転送サイリスタＳ１〜Ｓ６５と発光サイリスタＬ１〜Ｌ６５とは、ｐｎｐｎ構造を有している。発光サイリスタＬ１〜Ｌ６５はｐｎ接合における発光を利用して、発光ダイオード（ＬＥＤ）として機能するようになっている。なお、転送サイリスタＳ１〜Ｓ６５もｐｎ接合において発光しうるが、遮光などにより光が漏れないようになっている。
また、発光チップＣは、６４個のダイオードＤ１〜Ｄ６４および６５個の抵抗Ｒ１〜Ｒ６５を備えている。さらに、発光チップＣは、第１転送信号φ１、第２転送信号φ２、そしてスタート転送信号φＳが供給される信号線に、過剰な電流が流れるのを防止するための転送電流制限抵抗Ｒ１Ａ、Ｒ２Ａ、Ｒ３Ａを有している。なお、発光素子アレイ８１を構成する発光サイリスタＬ１〜Ｌ６５は、図中左側からＬ１、Ｌ２、…、Ｌ６４、Ｌ６５の順で配列され、発光素子列すなわち発光素子アレイ８１を構成する。また、転送サイリスタＳ１〜Ｓ６５も、図中左側からＳ１、Ｓ２、…、Ｓ６４、Ｓ６５の順で配列され、スイッチ素子列すなわちスイッチ素子アレイ８２を構成する。さらに、ダイオードＤ１〜Ｄ６４も、図中左からＤ１、Ｄ２、…、Ｄ６３、Ｄ６４の順で配列されている。さらにまた、抵抗Ｒ１〜Ｒ６５も、図中左からＲ１、Ｒ２、…Ｒ６４、Ｒ６５の順で配列されている。
ここでも、転送サイリスタＳ１〜Ｓ６５、発光サイリスタＬ１〜Ｌ６５をそれぞれ区別しないときは、転送サイリスタＳ、発光サイリスタＬと表記する。また、ダイオードＤ１〜Ｄ６４、抵抗Ｒ１〜Ｒ６５をそれぞれ区別しないときは、ダイオードＤ、抵抗Ｒと表記する。
【００２４】
発光素子アレイ８１における発光サイリスタＬの数は、予め定められた個数とすればよい。発光サイリスタＬの数を例えば６５個とすると、転送サイリスタＳの数も６５個である。同様に、抵抗Ｒの数も６５個である。しかし、ダイオードＤの数は、転送サイリスタＳの数より１少ない６４個である。
なお、転送サイリスタＳの数は、発光サイリスタＬの数より多くてもよい。
【００２５】
では次に、発光チップＣにおける各素子の電気的な接続について説明する。
各転送サイリスタＳ１〜Ｓ６５のアノード端子は、ＧＮＤ端子に接続されている。このＧＮＤ端子には、電源ライン１０２（図５参照）が接続され、接地（接地電圧ＧＮＤ（±０Ｖ））される。
【００２６】
また、奇数番目の転送サイリスタＳ１、Ｓ３、…、Ｓ６５のカソード端子は、転送電流制限抵抗Ｒ１Ａを介してφ１端子に接続されている。このφ１端子には、第１転送信号ライン１０４（図５参照）が接続され、第１転送信号φ１が供給される。
【００２７】
一方、偶数番目の転送サイリスタＳ２、Ｓ４、…、Ｓ６４のカソード端子は、転送電流制限抵抗Ｒ２Ａを介してφ２端子に接続されている。このφ２端子には、第２転送信号ライン１０５（図５参照）が接続され、第２転送信号φ２が供給される。
【００２８】
また、各転送サイリスタＳ１〜Ｓ６５のゲート端子Ｇ１〜Ｇ６５は、各転送サイリスタＳ１〜Ｓ６５に対応して設けられた抵抗Ｒ１〜Ｒ６５をそれぞれ介してＶｃｃ端子に接続されている。このＶｃｃ端子には、電源ライン１０１（図５参照）が接続され、電源電圧Ｖｃｃ（−５．０Ｖ）が供給される。
【００２９】
さらに、各転送サイリスタＳ１〜Ｓ６５のゲート端子Ｇ１〜Ｇ６５は、対応する同番号の発光サイリスタＬ１〜Ｌ６５のゲート端子に、１対１でそれぞれ接続されている。
【００３０】
また、各転送サイリスタＳ１〜Ｓ６４のゲート端子Ｇ１〜Ｇ６４には、ダイオードＤ１〜Ｄ６４のアノード端子が接続されており、これらダイオードＤ１〜Ｄ６４のカソード端子は、それぞれに隣接する次段の転送サイリスタＳ２〜Ｓ６５のゲート端子Ｇ２〜Ｇ６５に接続されている。すなわち、各ダイオードＤ１〜Ｄ６４は、転送サイリスタＳ１〜Ｓ６５のゲート端子Ｇ１〜Ｇ６５を挟んで直列接続されている。
【００３１】
そして、ダイオードＤ１のアノード端子すなわち転送サイリスタＳ１のゲート端子Ｇ１は、転送電流制限抵抗Ｒ３Ａを介してφＳ端子に接続されている。このφＳ端子には、スタート転送信号ライン１０３（図５参照）を介してスタート転送信号φＳが供給される。
【００３２】
次に、各発光サイリスタＬ１〜Ｌ６５のアノード端子は、各転送サイリスタＳ１〜Ｓ６５のアノード端子と同様に、ＧＮＤ端子に接続されている。
【００３３】
また、各発光サイリスタＬ１〜Ｌ６５のカソード端子は、φＩ端子に接続されている。このφＩ端子には、発光信号ライン１０６（発光チップＣ１の場合は発光信号ライン１０６＿１：図５参照）が接続され、発光信号φＩ（発光チップＣ１の場合は発光信号φＩ１）が供給される。なお、他の発光チップＣ２〜Ｃ６０には、それぞれ、対応する発光信号φＩ２〜φＩ６０が供給される。
【００３４】
＜発光サイリスタＬの配列と倍率補正＞
次に発光素子ヘッド１４における主走査方向の位置ずれについて説明を行なう。
発光素子ヘッド１４への発光チップＣの取り付け精度および各発光チップＣにおける発光サイリスタＬの形成精度には限界がある。また、上述したロッドレンズアレイ６４（図２参照）には、焦点位置のばらつきが存在する。さらに、発光チップＣが配される回路基板６２（図２参照）に温度むらが生じることにより各発光チップＣに熱膨張のむらが生じることがある。このような原因により感光体ドラム１２の表面の主走査方向に対する露光範囲（主走査幅）が予め定められた範囲から変化することがある。つまり主走査方向において倍率が変化する。そのため、この主走査方向における倍率の変化を補正する必要が生じる。
【００３５】
また、タンデム型と呼ばれる画像形成装置１では、発光素子ヘッド１４が画像形成ユニット１１Ｙ、１１Ｍ、１１Ｃ、１１Ｋ毎に設けられている。それぞれの発光素子ヘッド１４の取りつけ精度により、相対的な位置ずれが生じる。また、画像形成ユニット１１毎に感光体ドラム１２の表面の主走査方向に対する露光範囲（主走査幅）が異なっていることがある。これは、画像形成ユニット１１間での温度の差によっても生じる。
これらにより、形成された画像に色ずれが生じる。そのため、この主走査方向における倍率の差を補正し、色ずれを抑制する必要が生じる。
なお以下、この主走査方向における倍率の変化の補正を単に「倍率補正」と言うことにする。
以下では、画像形成ユニット１１Ｙ、１１Ｍ、１１Ｃ、１１Ｋ毎に設けられた発光素子ヘッド１４をそれぞれ発光素子ヘッド１４Ｙ、１４Ｍ、１４Ｃ、１４Ｋと表記する。なお、発光素子ヘッド１４Ｙ、１４Ｍ、１４Ｃ、１４Ｋをそれぞれ区別しないときは発光素子ヘッド１４と表記する。
【００３６】
本実施の形態では、以下に説明するように発光サイリスタＬを配した発光チップＣを使用する。
図７は、発光チップＣにおける発光サイリスタＬの配列および隣接する発光チップＣの関係の一例を説明した図である。図７（ａ）は、発光チップＣにおける発光サイリスタＬの配列を示している。図７（ｂ）は、隣接する発光チップＣの関係を示している。
【００３７】
始めに、図７（ａ）により、発光チップＣにおける発光サイリスタＬの配列について説明する。なお、発光チップＣ１〜Ｃ６０の構成は、発光チップＣと同じである。
発光チップＣにおける発光サイリスタＬは、３つの群に分けられている。すなわち、第１の発光素子群Ｉの発光サイリスタＬ３〜Ｌ６２は、予め定められた第１の間隔Ｐ１（間隔はＰ１で表記する。）にて連続して配されている。
第２の発光素子群ＩＩの発光サイリスタＬ１、Ｌ２は、第１の間隔Ｐ１とは異なる第２の間隔Ｐ２（間隔はＰ２で表記する。）にて連続して配されている。
第３の発光素子群ＩＩＩの発光サイリスタＬ６３〜Ｌ６５は、第１の間隔Ｐ１および第２の間隔Ｐ２と異なる第３の間隔Ｐ３（間隔はＰ３で表記する。）にて連続して配されている。
そして、第２の発光素子群ＩＩは第１の発光素子群Ｉの一端部側に、第３の発光素子群ＩＩＩは第１の発光素子群Ｉの他端部側に設けられている。
ここで、第１の発光素子群Ｉ、第２の発光素子群ＩＩ、第３の発光素子群ＩＩＩをそれぞれ区別しないときは、発光素子群と表記し、第１の間隔Ｐ１、第２の間隔Ｐ２、第３の間隔Ｐ３をそれぞれ区別しないときは、間隔Ｐと表記する。
【００３８】
そして、間隔Ｐは、それぞれの発光素子群の発光サイリスタＬが、予め定められた整数比による個数で配されように設定されている。本実施の形態では、第１の間隔Ｐ１の３倍（Ｐ１×３）が、第２の間隔Ｐ２の２倍（Ｐ２×２）に対応するように、第１の整数比の一例としての３：２で設定されている（Ｐ１×３＝Ｐ２×２）。すなわち、第１の発光素子群Ｉの３個の発光サイリスタＬの主走査方向の長さと、第２の発光素子群ＩＩの２個の発光サイリスタＬの主走査方向の長さとが等しい。
また、第１の間隔Ｐ１の２倍（Ｐ１×２）が、第３の間隔Ｐ３の３倍（Ｐ３×３）に対応するように、第２の整数比の一例としての設定されている（Ｐ１×２＝Ｐ３×３）。すなわち、第１の発光素子群Ｉの２個の発光サイリスタＬの主走査方向に占める長さと、第３の発光素子群ＩＩＩの３個の発光サイリスタＬの主走査方向に占める長さとが等しい。
つまり、第３の間隔Ｐ３が最も小さく、第２の間隔Ｐ２が最も大きい（Ｐ３＜Ｐ１＜Ｐ２）。
なお、第１の発光素子群Ｉの発光サイリスタＬ、第２の発光素子群ＩＩの発光サイリスタＬ、第３の発光素子群ＩＩＩの発光サイリスタＬのそれぞれの発光面の面積は、同じであっても、異なっていてもよい。
【００３９】
次に、図７（ｂ）により、隣接する発光チップＣの関係を説明する。
図７（ｂ）では、発光チップＣ１、発光チップＣ２および発光チップＣ３の部分を示している。
発光チップＣ１と発光チップＣ３とは、図７（ａ）に示した発光チップＣを紙面において２個左右に並べたものである。そして、発光チップＣ２も、図７（ａ）に示した発光チップＣを紙面において、ずらして並べて、発光チップＣ１および発光チップＣ３に対して千鳥状に配したものである（図３参照）。
このとき、発光チップＣ１の第３の発光素子群ＩＩＩ（発光サイリスタＬ６３〜Ｌ６５）が、発光チップＣ２の第１の発光素子群Ｉにおける発光サイリスタＬ３、Ｌ４に対向するように配され、発光チップＣ２の第２の発光素子群ＩＩ（発光サイリスタＬ１、Ｌ２）が、発光チップＣ１の第１の発光素子群Ｉにおける発光サイリスタＬ６０〜Ｌ６２に対向するように、重複して配されている。
また、発光チップＣ３の第２の発光素子群ＩＩ（発光サイリスタＬ１、Ｌ２）が、発光チップＣ２の第１の発光素子群Ｉにおける発光サイリスタＬ６０〜Ｌ６２に対向するように配され、発光チップＣ２の第３の発光素子群ＩＩＩ（発光サイリスタＬ６３〜Ｌ６５）が、発光チップＣ３の第１の発光素子群Ｉにおける発光サイリスタＬ３、Ｌ４に対向するように、重複して配されている。
すなわち、発光部６３において、発光チップＣ１〜Ｃ６０で構成される発光部６３において、それぞれの発光チップＣの第１の発光素子群Ｉに属する発光サイリスタＬが、全体として第１の発光素子列を構成する。同様に、第２の発光素子群ＩＩに属する発光サイリスタＬが、全体として第２の発光素子列に相当する。そして、第３の発光素子群ＩＩＩに属する発光サイリスタＬが、全体として第３の発光素子列に相当する。
【００４０】
なお、図４（ａ）に示すように、発光サイリスタＬ（発光素子アレイ８１）が、基板７０の長手方向の一方の側に近接して設けられている場合には、図７（ｂ）に示すように発光チップＣを配列すると、隣接する発光チップＣ（例えば発光チップＣ１と発光チップＣ２）間で発光サイリスタＬの副走査方向（Ｙ方向）の距離が、発光チップＣ２を１８０°回転させて配列する場合に比べ大きくなる。よって、この距離が小さいことが好ましい場合には、奇数番号の発光チップＣと偶数番号の発光チップとをそれぞれ別に準備することになる。
【００４１】
ここで、本実施の形態における倍率補正を説明する。
まず、主走査方向にける倍率が大きくなった場合（１以上となった場合）を説明する。この場合には、倍率を縮小する倍率補正を行う。
図８は、倍率を縮小する倍率補正を説明した図である。なお、発光チップＣ１と発光チップＣ２との境界部を例として示している。図８（ａ）は、倍率補正を行なわない場合の発光サイリスタＬが発光する順序を説明する図である。図８（ｂ）は、倍率補正（縮小）を行なう場合の発光サイリスタＬが発光する順序を説明している。なお、画像データ＃１〜＃１０の順に発光させるとして、画像データ＃１〜＃１０の符号を発光サイリスタＬに付した。
図８（ａ）に示すように、倍率補正（縮小）を行わない場合は、発光チップＣ１の第１の発光素子群Ｉの発光サイリスタＬ５８（＃１）、Ｌ５９（＃２）、Ｌ６０（＃３）、Ｌ６１（＃４）、Ｌ６２（＃５）が順に発光し、次に発光チップＣ２の第１の発光素子群Ｉの発光サイリスタＬ３（＃６）、Ｌ４（＃７）、Ｌ５（＃８）、Ｌ６（＃９）、Ｌ７（＃１０）が順に発光する。
【００４２】
図８（ｂ）は、倍率補正（縮小）を説明する図であって、発光チップＣ１の第１の発光素子群Ｉの発光サイリスタＬ５８（＃１）、Ｌ５９（＃２）、Ｌ６０（＃３）、Ｌ６１（＃４）、Ｌ６２（＃５）を順に発光させ、次に発光チップＣ１の第３の発光素子群ＩＩＩの発光サイリスタＬ６３（＃６）、Ｌ６４（＃７）、Ｌ６５（＃８）を発光させる。そして、発光チップＣ２の第１の発光素子群Ｉの発光サイリスタＬ５（＃９）、Ｌ６（＃１０）を順に発光させる。
【００４３】
すなわち、図８（ａ）に示す倍率補正を行わないときは、画像データ＃１〜＃１０に対する主走査方向の長さはＷ１である。
これに対して、図８（ｂ）に示す倍率補正（縮小）を行うときは、主走査方向に露光される長さはＷ２である。発光チップＣ２の発光サイリスタＬ７を使用しないため、長さＷ２は、倍率補正を行わないときの長さＷ１より小さい（Ｗ２＜Ｗ１）。すなわち、主走査方向に露光される長さが縮小されている。
これは、発光チップＣにおいて、第１の発光素子群Ｉの発光サイリスタＬの代わりに、第３の発光素子群ＩＩＩの発光サイリスタＬを選択して用いたことによる。つまり、第１の発光素子群Ｉの第１の間隔Ｐ１に比べ、第３の発光素子群ＩＩＩにおける第３の間隔Ｐ３が小さく設定されていることによる。これにより、主走査方向の長さを、１ドット縮小できる。
ここで、第２の発光素子群ＩＩと第３の発光素子群ＩＩＩとが対峙する２つの発光チップＣの境界部（重複する箇所）であって倍率補正をする部分を、倍率補正操作点α（図８（ｂ）に示す破線で囲まれた部分）と呼ぶ。
【００４４】
なお、第２の発光素子群ＩＩおよび第３の発光素子群ＩＩＩを備えない第１の発光素子群Ｉのみからなる発光チップＣにおいて、倍率補正（縮小）を行うには、図８（ａ）において、画像データ＃１〜＃１０のいずれかを省略することになる。例えば、発光チップＣ１の発光サイリスタＬ６２（＃５）の次に、発光チップＣ２の発光サイリスタＬ３を画像データ＃７で発光させることになる。この方法では、画像データ＃６による画素（ドット）が形成されないため、画像に乱れが生じる。
これに対し、本実施の形態では、すべての画像データにより画素（ドット）が形成されるため、画像の乱れが抑制される。
【００４５】
主走査方向において倍率が小さくなった（倍率が１より小さい）場合を説明する。この場合には、倍率を拡大する倍率補正を行う。
図９は、倍率を拡大する倍率補正を説明した図である。なお、発光チップＣ１と発光チップＣ２との境界部を例として示している。図９（ａ）は、倍率補正を行なわない場合の発光サイリスタＬが発光する順序を説明する図である。図９（ｂ）は、倍率補正（拡大）を行なう場合の発光サイリスタＬが発光する順序を説明する図である。なお、画像データ＃１〜＃１０の順に発光させるとして、画像データ＃１〜＃１０の符号を発光サイリスタＬに付した。
図９（ａ）は、図８（ａ）と同様である。すなわち、倍率補正を行わない場合は、発光チップＣ１の第１の発光素子群Ｉの発光サイリスタＬ５８（＃１）、Ｌ５９（＃２）、Ｌ６０（＃３）、Ｌ６１（＃４）、Ｌ６２（＃５）が順に発光し、次に発光チップＣ２の第１の発光素子群Ｉの発光サイリスタＬ３（＃６）、Ｌ４（＃７）、Ｌ５（＃８）、Ｌ６（＃９）、Ｌ７（＃１０）が順に発光する。
【００４６】
図９（ｂ）は倍率補正（拡大）を説明する図であって、発光チップＣ２の第１の発光素子群Ｉの発光サイリスタＬ５８（＃１）、Ｌ５９（＃２）を順に発光させ、次に発光チップＣ２の第２の発光素子群ＩＩの発光サイリスタＬ１（＃３）、Ｌ２（＃４）を発光させる。そして、発光チップＣ２の第１の発光素子群Ｉの発光サイリスタＬ３（＃５）、Ｌ４（＃６）、Ｌ５（＃７）、Ｌ６（＃８）、Ｌ７（＃９）、Ｌ８（＃１０）を順に発光させる。
【００４７】
すなわち、図９（ａ）に示す倍率補正を行わないときは、画像データ＃１〜＃１０に対して主走査方向に露光される長さはＷ１である。
これに対して、図９（ｂ）に示す倍率補正（拡大）を行うときは、主走査方向に露光される長さはＷ３である。発光チップＣ２の発光サイリスタＬ８を使用するため、長さＷ３は、倍率補正を行わないときの長さＷ１より大きい（Ｗ１＜Ｗ３）。すなわち、主走査方向に長さが拡大されている。
これは、発光チップＣにおいて、第１の発光素子群Ｉの発光サイリスタＬの代わりに、第２の発光素子群ＩＩの発光サイリスタＬを選択して用いたことによる。つまり、第１の発光素子群Ｉの第１の間隔Ｐ１に比べ、第２の発光素子群ＩＩにおける第２の間隔Ｐ２が大きく設定されていることによる。これにより、主走査方向の長さを１ドット拡大できる。
ここでも、第２の発光素子群ＩＩと第３の発光素子群ＩＩＩとが対峙する２つの発光チップＣの境界部（重複する箇所）であって倍率補正をする部分を、倍率補正操作点α（図９（ｂ）に示す破線で囲まれた部分）と呼ぶ。
【００４８】
なお、第２の発光素子群ＩＩおよび第３の発光素子群ＩＩＩを備えない第１の発光素子群Ｉからなる発光チップＣでは、図９（ａ）において、画像データ＃１〜＃１０のいずれかにおいて、発光サイリスタＬを飛ばして発光させるか、２個の発光サイリスタＬを連続して発光させることになる。例えば、発光チップＣ２の発光サイリスタＬ３を発光させず、発光チップＣ２の発光サイリスタＬ４を画像データ＃６により発光させる。または、発光チップＣ２の発光サイリスタＬ３と発光サイリスタＬ４とを画像データ＃６により発光させる。このようにすると、画素（ドット）が形成されなかったり（白すじ）、同じ画素（ドット）が繰り返して形成されたり（黒すじ）して、画像の乱れが生じる。
これに対し、本実施の形態では、すべての画像データが重複することなく形成されるため、画像の乱れが抑制される。
【００４９】
以上説明したように、本実施の形態の発光チップＣは、第１の間隔Ｐ１で配された第１の発光素子群Ｉの発光サイリスタＬに加え、第１の間隔Ｐ１より大きい第２の間隔Ｐ２で配した第２の発光素子群ＩＩの発光サイリスタＬと、第１の間隔Ｐ１より小さい第３の間隔Ｐ３で配された第３の発光素子群ＩＩＩの発光サイリスタＬとを備えているので、主走査方向において倍率補正（縮小および拡大）ができる。
なお、倍率補正（縮小または拡大）は、千鳥状に配された隣接する発光チップＣの境界部の倍率補正操作点αで行われる。
【００５０】
＜発光チップＣの動作＞
次にこの構成で配した発光チップＣの発光サイリスタＬの動作の一例について説明を行なう。
図１０は、発光チップＣの発光サイリスタＬを駆動するための信号発生回路１００および補正データ記憶部１１１を説明した図である。
図１０に示した信号発生回路１００は、位置ずれ補正をするための補正データを格納する補正データ記憶部１１１から必要に応じ補正データを読み出す補正データ読み込み部１１２と、入力されるシリアル信号としての画像データＶｄａｔａを並び替える画像データ並び替え部１１３と、画像データ並び替え部１１３からパラレル信号として送られる駆動信号を受信し、各発光チップＣ（Ｃ１〜Ｃ６０）の各発光サイリスタＬを駆動させるための発光信号を生成する発光信号生成部１１４＿１〜１１４＿６０とを備える。
【００５１】
図１１は、発光チップの発光サイリスタの動作を説明するタイミングチャートである。
図１１に示すタイミングチャートを参照しながら、感光体ドラム１２を露光する発光チップＣの動作を詳細に説明する。なお、図１１では、図８で説明したような主走査方向を縮小することにより倍率補正する場合において、発光サイリスタＬを発光させるためのタイミングチャートの例を示している。そして説明の便宜上、それぞれの発光サイリスタＬを主走査方向で順に発光させる場合について説明を行なう。
図中発光チップＣ１、Ｃ２の発光信号φＩとして発光信号φＩ１、φＩ２を図示している。なお説明をわかりやすくするため発光信号φＩ１、φＩ２については並行して図示しているが、それぞれの発光信号φＩ１、φＩ２について、このように互いに時間的に同時性を有して信号が送られるとは限らない。
【００５２】
ここで初期状態においては、スタート転送信号φＳがローレベル（「Ｌ」）に、第１転送信号φ１がハイレベル（「Ｈ」）に、第２転送信号φ２が「Ｌ」に、そして発光信号φＩ（φＩ１、φＩ２）が「Ｈ」に、それぞれ設定されているものとする。
【００５３】
動作の開始に伴い、信号発生回路１００から入力されるスタート転送信号φＳが、「Ｌ」から「Ｈ」に変更される。これにより、発光チップＣの転送サイリスタＳ１のゲート端子Ｇ１に「Ｈ」のスタート転送信号φＳが供給される。このとき、ダイオードＤ１〜Ｄ６４を介して、他の転送サイリスタＳ２〜Ｓ６５のゲート端子Ｇ２〜Ｇ６５にもスタート転送信号φＳが供給される。ただし、各ダイオードＤ１〜Ｄ６４でそれぞれ電圧降下が生じるため、転送サイリスタＳ１のゲート端子Ｇ１にかかる電圧が最も高くなる。
【００５４】
そして、スタート転送信号φＳが「Ｈ」となっている状態で、信号発生回路１００から入力される第１転送信号φ１が、「Ｈ」から「Ｌ」に変更される。また、第１転送信号φ１が「Ｌ」に変更されてから第１の期間ｔａが経過した後、第２転送信号φ２が、「Ｌ」から「Ｈ」に変更される。
【００５５】
このように、スタート転送信号φＳが「Ｈ」となっている状態において、「Ｌ」の第１転送信号φ１が供給されると、発光チップＣでは、「Ｌ」の第１転送信号φ１が供給される奇数番目の転送サイリスタＳ１、Ｓ３、…、Ｓ６５のうち、ゲート電圧が最も高く、閾値以上となる転送サイリスタＳ１がターンオンする。また、このとき、第２転送信号φ２は「Ｈ」となっているので、偶数番目の転送サイリスタＳ２、Ｓ４、…、Ｓ６４のカソード電圧は高いままとなり、ターンオフの状態が維持される。このとき、発光チップＣでは、奇数番目の転送サイリスタＳ１のみがターンオンした状態になる。これに伴い、奇数番目の転送サイリスタＳ１とゲート同士が接続された発光サイリスタＬ１がターンオンし、発光可能な状態におかれる。
【００５６】
転送サイリスタＳ１がターンオンしている状態において、第２転送信号φ２が「Ｈ」に変更されてから第２の期間ｔｂが経過した後、第２転送信号φ２が「Ｈ」から「Ｌ」に変更される。すると、「Ｌ」の第２転送信号φ２が供給される偶数番目の転送サイリスタＳ２、Ｓ４、…、Ｓ６４のうち、ゲート電圧が最も高く、閾値以上となる転送サイリスタＳ２がターンオンする。このとき、発光チップＣでは、奇数番目の転送サイリスタＳ１とこれに隣接する偶数番目の転送サイリスタＳ２とが、共にターンオンした状態になる。これに伴い、既にターンオンしている発光サイリスタＬ１に加えて、偶数番目の転送サイリスタＳ２とゲート同士が接続された発光サイリスタＬ２がターンオンし、共に発光可能な状態におかれる。
【００５７】
転送サイリスタＳ１および転送サイリスタＳ２が共にターンオンしている状態において、第２転送信号φ２が「Ｌ」に変更されてから第３の期間ｔｃが経過した後、第１転送信号φ１が「Ｌ」から「Ｈ」に変更される。これに伴い、奇数番目の転送サイリスタＳ１はターンオフし、偶数番目の転送サイリスタＳ２のみがターンオンした状態になる。これに伴い、奇数番目の発光サイリスタＬ１はターンオフして発光不能な状態におかれ、偶数番目の発光サイリスタＬ２のみがターンオンを維持して発光可能な状態におかれる。なお、この例では、第１転送信号φ１が「Ｈ」に変更されるのに合わせて、スタート転送信号φＳが「Ｈ」から「Ｌ」に変更されている。
【００５８】
転送サイリスタＳ２がターンオンしている状態において、第１転送信号φ１が「Ｈ」に変更されてから第４の期間ｔｄが経過した後、第１転送信号φ１が「Ｈ」から「Ｌ」に変更される。これに伴い、「Ｌ」の第１転送信号φ１が供給される奇数番目の転送サイリスタＳ１、Ｓ３、…、Ｓ６５のうち、ゲート電圧が最も高い転送サイリスタＳ３がターンオンする。このとき、発光チップＣでは、偶数番目の転送サイリスタＳ２とこれに隣接する奇数番目の転送サイリスタＳ３とが、共にターンオンした状態になる。これに伴い、既にターンオンしている発光サイリスタＬ２に加えて、奇数番目の転送サイリスタＳ３とゲート同士が接続された発光サイリスタＬ３がターンオンし、共に発光可能な状態におかれる。
【００５９】
転送サイリスタＳ２および転送サイリスタＳ３が共にターンオンしている状態において、第１転送信号φ１が「Ｌ」に変更されてから第５の期間ｔｅが経過した後、第２転送信号φ２がローレベルから「Ｈ」に変更される。これに伴い、偶数番目の転送サイリスタＳ２はターンオフし、奇数番目の転送サイリスタＳ３のみがターンオンした状態になる。これに伴い、偶数番目の発光サイリスタＬ２はターンオフして発光不能な状態におかれ、奇数番目の発光サイリスタＬ３のみがターンオンを維持して発光可能な状態におかれる。
【００６０】
このように、発光チップＣでは、第１転送信号φ１および第２転送信号φ２が共に「Ｌ」に設定される重なり期間を設けつつ、交互に「Ｈ」、「Ｌ」が切り換えられることにより、転送サイリスタＳ１〜Ｓ６５が番号順に順次ターンオンする。また、これに伴い、発光サイリスタＬ１〜Ｌ６５も番号順に順次ターンオンする。このとき、第２の期間ｔｂでは、奇数番目の転送サイリスタ（例えば転送サイリスタＳ１）のみがターンオンし、第３の期間ｔｃでは、奇数番目の転送サイリスタおよび次段に設けられた偶数番目の転送サイリスタ（例えば転送サイリスタＳ１および転送サイリスタＳ２）がターンオンし、第４の期間ｔｄでは、偶数番目の転送サイリスタ（例えば転送サイリスタＳ２）のみがターンオンし、第５の期間ｔｅでは、偶数番目の転送サイリスタおよび次段に設けられた奇数番目の転送サイリスタ（例えば転送サイリスタＳ２および転送サイリスタＳ３）がターンオンし、その後、再び第２の期間ｔｂにおいて奇数番目の転送サイリスタ（例えば転送サイリスタＳ３）がターンオンする、という過程を繰り返すことになる。
【００６１】
一方、発光信号φＩ１〜φＩ２は、基本的に、奇数番目の転送サイリスタが単独でターンオンする第２の期間ｔｂおよび偶数番目の転送サイリスタが単独でターンオンする第４の期間ｔｄにおいて、「Ｈ」から「Ｌ」への変更および「Ｌ」から「Ｈ」への変更が行われる。
【００６２】
ただし、発光信号φＩ１においては、左端の２個の転送サイリスタＳ１〜Ｓ２がターンオンする期間については、このような変更は行われない。これにより発光チップＣ１では、発光サイリスタＬ３、Ｌ４、…、Ｌ６４、Ｌ６５が、１個ずつ順番に発光する。つまり本実施の形態では、主走査方向に拡大することで位置ずれ補正をするための発光サイリスタＬ１〜Ｌ２は使用しないため、この２個の発光サイリスタＬ１〜Ｌ２を発光させない制御を行なう。一方、主走査方向で縮小することで倍率補正するための発光サイリスタＬ６３〜Ｌ６５は使用するため、これについては発光させる制御を行なう。
【００６３】
また発光信号φＩ２においては、左端の４個の転送サイリスタＳ１〜Ｓ４がターンオンする期間および右端の３個の転送サイリスタＳ６３〜Ｓ６５がターンオンする期間については、対応する発光サイリスタＬを発光させない制御を行なう。そして、発光チップＣ１の発光サイリスタＬ６３〜Ｌ６５に対向する発光サイリスタＬ３、Ｌ４を発光させない。これにより発光チップＣ２では、発光サイリスタＬ５、Ｌ６、…、Ｌ６２を発光させる制御を行なう。
【００６４】
次に、画像形成装置１において、色ずれを抑制する方法を説明する。
これまで、第１の発光素子群Ｉに属する発光サイリスタＬ、第２の発光素子群ＩＩに属する発光サイリスタＬ、第３の発光素子群ＩＩＩに属する発光サイリスタＬを備えた発光チップＣを用いることにより、主走査方向における倍率の変化を補正することを説明した。
前述したように、タンデム型の画像形成装置１では、それぞれの画像形成ユニット１１Ｙ、１１Ｍ、１１Ｃ、１１Ｋがそれぞれ発光素子ヘッド１４Ｙ、１４Ｍ、１４Ｃ、１４Ｋを備えている。
したがって、発光素子ヘッド１４Ｙ、１４Ｍ、１４Ｃ、１４Ｋの取り付け精度により、形成される画素（ドット）の位置にずれが生じることがある。
また、温度の上昇により、それぞれの発光素子ヘッド１４Ｙ、１４Ｍ、１４Ｃ、１４Ｋの倍率の変化が同じように生じたり、それぞれの発光素子ヘッド１４Ｙ、１４Ｍ、１４Ｃ、１４Ｋの倍率の変化が個別に生じたりする。
このような場合に、予め定められた基準、例えば発光素子ヘッド１４のうちの一つを基準にして倍率の補正が行われる。倍率の補正は、前述した隣接した発光チップＣの境界部を倍率補正操作点αとして行われる。ただし、すべての境界部を倍率補正操作点αとする必要はなく、補正する倍率に対応して倍率補正操作点αの個数を設定すればよい。
【００６５】
図１２は、発光素子ヘッド１４Ｙ、１４Ｍ、１４Ｃ、１４Ｋにおいて設定された倍率補正操作点αの一例について説明した図である。図１２（ａ）は、発光部６３の配列を説明した図である。図１２（ｂ）は、発光素子ヘッド１４Ｙ、１４Ｍ、１４Ｃ、１４Ｋにおける倍率補正操作点αを説明した図である。図１２（ｂ）では、発光素子ヘッド１４Ｙ、１４Ｍ、１４Ｃ、１４ＫをそれぞれＨｅａｄ（Ｙ）、Ｈｅａｄ（Ｍ）、Ｈｅａｄ（Ｃ）、Ｈｅａｄ（Ｋ）と表記する。
図１２（ａ）に示すように、隣接した発光チップＣの境界部の一部は倍率補正操作点αとして用いられるが、他は倍率補正操作点αとして用いられない。
そして、図１２（ｂ）に示すように、発光素子ヘッド１４Ｙ、１４Ｍ、１４Ｃ、１４Ｋの操作点が、主走査方向において、ずらして設定されている。
第１の実施の形態における倍率補正では、第１の発光素子群Ｉの発光サイリスタＬの代わりに、第１の発光素子群Ｉの第１の間隔Ｐ１より大きい間隔（第２の間隔Ｐ２）の第２の発光素子群ＩＩの発光サイリスタＬ、または第１の発光素子群Ｉの第１の間隔Ｐ１より小さい間隔（第３の間隔Ｐ３）の第３の発光素子群ＩＩＩの発光サイリスタＬを用いる。このため、倍率補正を行った倍率補正操作点αでは、濃度のムラが生じることがある。そして、少なくとも２つの発光素子ヘッド１４が同じ位置で倍率補正を行うと、濃度ムラが重畳してより目立つようになってしまう。
よって、本実施の形態では、発光素子ヘッド１４Ｙ、１４Ｍ、１４Ｃ、１４Ｋのそれぞれの倍率補正操作点αの主走査方向における位置をずらして設定している。
なお、倍率補正操作点αの主走査方向における位置を「ずらす量」は、濃度ムラが重畳して倍率補正をした倍率補正操作点αにおける濃度ムラが重畳して目立たないように設定すればよい。
【００６６】
例えば、発光部６３が６０個の発光チップＣ１〜Ｃ６０で構成されているとすると、５９か所の境界部がある。倍率補正を±１０ドットの範囲で行うとすると、それぞれの発光素子ヘッド１４において、２０か所の操作点を設けることとなる。よって、それぞれの発光素子ヘッド１４で倍率補正操作点αが重ならないように設定しうる。
なお、発光素子ヘッド１４Ｙ、１４Ｍ、１４Ｃ、１４Ｋの全てにおいてそれぞれの倍率補正操作点αが互いにずれていることが好ましい。しかし、全ての発光素子ヘッド１４において倍率補正操作点αが互いにずれていなくともよい。
【００６７】
図１３は、発光素子ヘッド１４Ｙ、１４Ｍ、１４Ｃ、１４Ｋにおいて設定された倍率補正操作点αの他の一例について説明した図である。図１３（ａ）は、発光部６３の配列を説明した図である。図１３（ｂ）は、発光素子ヘッド１４Ｙ、１４Ｍ、１４Ｃ、１４Ｋにおける倍率補正操作点αを説明した図である。なお、図１３（ａ）は図１２（ａ）と同じである。
図１３（ｂ）に示すように、それぞれの発光素子ヘッド１４Ｙ、１４Ｍ、１４Ｃ、１４Ｋは、発光チップＣ間の境界部が主走査方向において重ならないように、ずらして配置されている。このため、境界部に設定される倍率補正操作点αも互いにずれて設定される。
発光素子ヘッド１４をずらす量は、上記の「ずらす量」と同様に、倍率補正に用いられた倍率補正操作点αにおける濃度ムラが重畳して目立つことが抑制できればよい。
【００６８】
［第２の実施の形態］
図１４は、第２の実施の形態が適用される画像形成装置１の全体構成の一例を示した図である。図１４に示す画像形成装置１は、一般にマルチプル型と呼ばれる画像形成装置である。第１の実施の形態と同様のものには、同じ符号を付して、この画像形成装置１を説明する。
この画像形成装置１も、第１の実施の形態における画像形成装置１と同様に、各色の画像データに対応して画像形成を行なう画像形成プロセス部１０、画像形成プロセス部１０を制御する画像出力制御部３０、例えばパーソナルコンピュータ（ＰＣ）２や画像読取装置３に接続され、これらから受信された画像データに対して予め定められた画像処理を施す画像処理部４０を備えている。
さらに画像形成装置１は、矢印Ｃ方向に回転可能な感光体ドラム１２、矢印Ｄ方向に回転可能に配設され、感光体ドラム１２上に形成された各色成分トナー像を中間転写ベルト３１に順次転写（一次転写）して保持させる一次転写部３２、中間転写ベルト３１上に転写された重ねトナー像を記録用紙Ｐに一括転写（二次転写）させる二次転写部３３、二次転写された画像を記録用紙Ｐ上に定着させる定着器２４、画像形成装置１の各機構部を制御する画像出力制御部３０を備えている。なお、一次転写部３２および二次転写部３３は転写手段の一例である。
【００６９】
感光体ドラム１２の周囲には、感光体ドラム１２の表面に塗布された感光体を予め定められた電位で帯電する帯電器１３、帯電器１３によって帯電された感光体を露光し静電潜像を形成する発光素子ヘッド１４、イエロー（Ｙ）、マゼンタ（Ｍ）、シアン（Ｃ）、黒（Ｋ）の各色成分トナーが収容されて感光体ドラム１２上の静電潜像をトナーにより可視像化する現像器１６Ｙ，１６Ｍ，１６Ｃ，１６Ｋを回転可能に取り付けた回転式現像装置１６、感光体ドラム１２上に形成された各色のトナー像を中間転写ベルト３１に転写する一次転写ロール３４が配置されている。
図１４において示す回転式現像装置１６は、６個の現像器を備えることができるようになっている。なお、図１４では、４個の現像器１６Ｙ，１６Ｍ，１６Ｃ，１６Ｋを示している。
【００７０】
中間転写ベルト３１は、複数のロールに掛け渡されている。
二次転写部３３は、中間転写ベルト３１のトナー像を保持する面側に配置される二次転写ロール３５と、中間転写ベルト３１の他の面側に配置されるバックアップロール３６とによって構成されている。
【００７１】
画像形成装置１において、画像形成プロセス部１０は、画像出力制御部３０から供給される各種の制御信号に基づいて画像形成動作を行う。そして、画像出力制御部３０による制御の下で、パーソナルコンピュータ（ＰＣ）２や画像読取装置３から受信された画像データは、画像処理部４０によって画像処理が施され、画像形成プロセス部１０に供給される。そして、例えば黒（Ｋ）色では、感光体ドラム１２が矢印Ｃ方向に回転しながら、帯電器１３により予め定められた電位に帯電され、画像処理部４０から供給された画像データに基づいて発光する発光素子ヘッド１４により露光される。これにより、感光体ドラム１２上には、黒（Ｋ）色画像に関する静電潜像が形成される。そして、この静電潜像は黒（Ｋ）色のトナーを内包する現像器１６Ｋで現像され、感光体ドラム１２上には黒（Ｋ）色のトナー像が形成される。そして、感光体ドラム１２上に形成されたトナー像は、感光体ドラム１２と中間転写ベルト３１とが接する一次転写部３２において一次転写ロール３４に印加される一次転写バイアスにより感光体ドラム１２から中間転写ベルト３１に一次転写される。
【００７２】
このとき、単色画像を形成する際には、中間転写ベルト３１に一次転写されたトナー像を直ちに記録用紙Ｐに二次転写するが、複数色のトナー像を重ね合わせたカラー画像を形成する場合には、感光体ドラム１２上でのトナー像の形成並びに感光体ドラム１２上に形成されたトナー像の一次転写の工程が色数分だけ繰り返される。例えば、四色のトナー像を重ね合わせたフルカラー画像を形成する場合、感光体ドラム１２上には順次イエロー（Ｙ）、マゼンタ（Ｍ）、シアン（Ｃ）および黒（Ｋ）のトナー像が形成され、これら各色のトナー像は順次中間転写ベルト３１に一次転写される。一方、中間転写ベルト３１は、一次転写されたトナー像を保持したまま感光体ドラム１２と同一周期で回転し、中間転写ベルト３１上にはその一回転毎にイエロー（Ｙ）、マゼンタ（Ｍ）、シアン（Ｃ）および黒（Ｋ）のトナー像が転写され重ねられ合成トナー像が形成される。
【００７３】
このようにして中間転写ベルト３１に一次転写されたトナー像は、中間転写ベルト３１の回転に伴って二次転写部３３へと搬送される。一方、記録用紙Ｐは、予め定められたタイミングで二次転写部３３に供給される。二次転写部３３では、二次転写ロール３５とバックアップロール３６との間に働く二次転写電界の作用で、中間転写ベルト３１に保持されたトナー像が記録用紙Ｐに静電転写（二次転写）される。その後、トナー像が転写された記録用紙Ｐは定着器２４まで搬送される。定着器２４に搬送された記録用紙Ｐ上の合成トナー像は、定着器２４によって熱および圧力による定着処理を受けて記録用紙Ｐ上に定着され、画像形成装置１から排出される。
【００７４】
第２の実施の形態の画像形成装置１では、発光素子ヘッド１４は１つである。そして、発光素子ヘッド１４の構成および発光素子ヘッド１４の発光チップＣの構成は第１の実施の形態と同様である。よって、これらについての説明を省略する。
【００７５】
図１５は、発光素子ヘッド１４において設定された倍率補正操作点αの一例について説明した図である。図１５（ａ）は、発光部６３の配列を説明した図である。図１５（ｂ）は、発光素子ヘッド１４における倍率補正操作点αを説明した図である。なお、図１５（ａ）は図１２（ａ）と同じである。
第２の実施の形態の画像形成装置１では、発光素子ヘッド１４は一つである。したがって、形成された画像において色ずれすることがない。しかし、画像を主走査方向に縮小または拡大する場合には、第１の実施の形態で説明した倍率補正を行うことが好ましい。倍率補正では、画像データが失われない。
そこで、図１５（ｂ）に示すように、イエロー（Ｙ）、マゼンタ（Ｍ）、シアン（Ｃ）および黒（Ｋ）の各色で倍率補正を行う倍率補正操作点αをずらして設けている。これにより、第１の発光素子群Ｉに属する発光サイリスタＬの第１の間隔Ｐ１と異なる間隔の第２の発光素子群ＩＩに属する発光サイリスタＬまたは第３の発光素子群ＩＩＩに属する発光サイリスタＬを使用して形成された画像における濃度ムラを抑制している。なお、イエロー（Ｙ）、マゼンタ（Ｍ）、シアン（Ｃ）および黒（Ｋ）の各色で倍率補正を行う倍率補正操作点αが重なると、倍率補正操作点αに生じる濃度ムラが重なって現れて、画像の質が劣化する。
倍率補正操作点αをずらす量は、前述の「ずらす量」と同様に、倍率補正に用いられた倍率補正操作点αにおける濃度ムラが重畳して目立つことが抑制できればよい。
【００７６】
［第３の実施の形態］
第１の実施の形態および第２の実施の形態では、発光素子ヘッド１４は、感光体ドラム１２の主走査方向に傾く（ｓｋｅｗ）こともなく、湾曲する（ｂｏｗ）こともなく取り付けられているとした。
しかし、第１の実施の形態における発光素子ヘッド１４Ｙ、１４Ｍ、１４Ｃ、１４Ｋまたは第２の実施の形態における発光素子ヘッド１４が、取り付け精度に限界があることに起因して、感光体ドラム１２の主走査方向に対して傾いた状態または湾曲した状態になる場合がある。これらの場合に、色ずれが生じることがある。なお、湾曲した状態は、部分的に見れば傾いた状態と同じである。
なお、第１の実施の形態における発光素子ヘッド１４Ｙ、１４Ｍ、１４Ｃ、１４Ｋまたは第２の実施の形態における発光素子ヘッド１４と感光体ドラム１２とは相対的な関係にあるので、感光体ドラム１２が第１の実施の形態における発光素子ヘッド１４Ｙ、１４Ｍ、１４Ｃ、１４Ｋまたは第２の実施の形態における発光素子ヘッド１４に対して傾いても同様である。
ここでは、第１の実施の形態における発光素子ヘッド１４Ｙ、１４Ｍ、１４Ｃ、１４Ｋのいずれかまたは第２の実施の形態における発光素子ヘッド１４を発光素子ヘッド１４として説明する。
発光素子ヘッド１４が感光体ドラム１２の主走査方向に対して傾いたりまたは湾曲したりした場合には、「傾き補正」が行われる。
傾き補正は、発光素子ヘッド１４の発光部６３を複数の部分に分けて、時系列的に発光させることで行う。すなわち、副走査方向において先の部分ほど時間的に後に発光させ、後ろになる部分ほど時間的に先に発光させることで行う。このようにすると、発光素子ヘッド１４が傾いていても、形成された画像における傾きの量が小さくなる。発光部６３を複数の部分に分けた境界部であって、傾き補正を行う境界部を傾き補正操作点βと呼ぶ。
【００７７】
図１６は、発光素子ヘッド１４が感光体ドラム１２の主走査方向に対して傾いている場合の傾き補正および倍率補正を説明した図である。図１６（ａ）は、発光素子ヘッド１４が感光体ドラム１２に対して傾いた状態で画像形成した場合を説明した図である。図１６（ｂ）は、発光素子ヘッド１４における傾き補正操作点βを説明した図である。図１６（ｂ）は、発光素子ヘッド１４における倍率補正操作点αを説明した図である。なお、図１６（ｃ）では、発光素子ヘッド１４をＨｅａｄと表記する。
図１６（ａ）に示すように、発光素子ヘッド１４が感光体ドラム１２の主走査方向に対して傾いている場合、主走査方向（Ｘ方向）に画素（ドット）を形成しても、形成された画素（ドット）は主走査方向（Ｘ方向）に対して傾いて形成され、副走査方向（Ｙ方向）にずれていく。
これに対して、図１６（ｂ）に示すように、傾き補正操作点βを設定して、傾き補正を行うことで、形成された画素（ドット）は副走査方向（Ｙ方向）に対するずれが、傾き補正をしない場合に比べ、抑制される。
しかし、図１６（ｂ）に示すように、傾き補正操作点βでは形成された画像に段差が生じている。
【００７８】
そこで、第３の実施の形態において、図１６（ｃ）に示すように、傾き補正操作点βと倍率補正操作点αとをずらして設けている。
もし、傾き補正操作点βと倍率補正操作点αとが重なると、傾き補正によって生じた段差による濃度ムラと倍率補正による濃度ムラとが重なって、濃度ムラが目立つようになる。
傾き補正操作点βと倍率補正操作点αとをずらす量は、第１の実施の形態で説明したように、形成された画像における濃度のムラが目立たない距離であればよい。
【００７９】
図１７は、発光素子ヘッド１４が感光体ドラム１２の主走査方向に対して湾曲している場合の傾き補正および倍率補正を説明した図である。図１７（ａ）は、発光素子ヘッド１４が感光体ドラム１２に対して湾曲した状態で画像形成した場合を説明した図である。図１７（ｂ）は、発光素子ヘッド１４における傾き補正操作点βを説明した図である。図１７（ｃ）は、発光素子ヘッド１４における倍率補正操作点αを説明した図である。なお、図１７（ｃ）では、発光素子ヘッド１４をＨｅａｄと表記する。
図１７（ａ）に示すように、発光素子ヘッド１４が感光体ドラム１２の主走査方向に対して湾曲している場合、主走査方向（Ｘ方向）に画素（ドット）を形成しても、形成された画素（ドット）は主走査方向（Ｘ方向）に対して湾曲して形成され、副走査方向（Ｙ方向）にずれる。
これに対して、図１７（ｂ）に示すように、傾き補正操作点βを設定して、傾き補正を行うことで、形成された画素（ドット）は副走査方向（Ｙ方向）に対するずれが、傾き補正をしない場合に比べ、抑制される。
しかし、図１７（ｂ）に示すように、傾き補正操作点βでは形成された画像に段差が生じている。
【００８０】
そこで、第３の実施の形態においては、図１７（ｃ）に示すように、傾き補正操作点βと倍率補正操作点αとをずらして設けている。
前述したように、傾き補正操作点βと倍率補正操作点αとが重なると、傾き補正によって生じた段差による濃度ムラと倍率補正による濃度ムラとが重なって、濃度ムラが目立つようになる。
傾き補正操作点βと倍率補正操作点αとをずらす量は、第１の実施の形態で説明したように、形成された画像における濃度のムラが目立たない距離であればよい。
【００８１】
なお、第３の実施の形態を第１の実施の形態の画像形成装置１に適用する場合には、第１の実施の形態における発光素子ヘッド１４Ｙ、１４Ｍ、１４Ｃ、１４Ｋのそれぞれにおいて、倍率補正操作点αと傾き補正操作点βとをずらすとともに、発光素子ヘッド１４Ｙ、１４Ｍ、１４Ｃ、１４Ｋ相互間においても、倍率補正操作点αと傾き補正操作点βとをずらすことが好ましい。なお、全てにおいてずらさなくとも、一部であってもよい。
また、第３の実施の形態を第２の実施の形態の画像形成装置１に適用する場合には、第２の実施の形態における発光素子ヘッド１４の各色の倍率補正操作点α（Ｙ）、α（Ｍ）、α（Ｃ）、α（Ｋ）と、傾き補正操作点βとを主走査方向においてずらすことが好ましい。なお、全てにおいてずらさなくとも、一部であってもよい。
【００８２】
さらに、本実施の形態において、発光チップＣについては、上述した例に限られるものではない。
例えば、１つの発光チップＣに、図６に示したＳＬＥＤが２個左右反転した状態となるように設けられていてもよい。このとき、中央部には、第２の間隔Ｐ２の第２の発光素子群ＩＩや、第３の間隔Ｐ３の第３の発光素子群ＩＩＩを設けない。すなわち、２つのＳＬＥＤの中央部では、第１の間隔Ｐ１の第１の発光素子群Ｉの発光サイリスタＬが設けられるようにする。そして、左側のＳＬＥＤの左端に第２の発光素子群ＩＩの発光サイリスタＬを、右側のＳＬＥＤの右端に第３の発光素子群ＩＩＩの発光サイリスタＬが設けられるようにすればよい。
また、一方の端に第２の発光素子群ＩＩを設けた発光チップＣと、一方の端に第３の発光素子群ＩＩＩを設けた発光チップＣとを用いてもよい。
【００８３】
ＳＬＥＤは、発光サイリスタＬと転送サイリスタＳとから構成されているが、他に制御サイリスタを含むものであってもよい。
【００８４】
また、副走査方向に重複して配される第１の発光素子群Ｉの発光サイリスタＬの個数と第２の発光素子群ＩＩの発光サイリスタＬの個数との整数比は、上述した例では、３：２であったが、これに限られるものではない。同様に、副走査方向に重複して配される第１の発光素子群Ｉの発光サイリスタＬの個数と第３の発光素子群ＩＩＩの発光サイリスタＬの個数との整数比は、上述した例では、２：３であったが、これに限られるものではない。整数比として、３：４または４：３などを採ることもできる。
これらの値は、発光チップＣの配列において縮小または拡大する倍率によって決めればよい。
【符号の説明】
【００８５】
１…画像形成装置、１０…画像形成プロセス部、１１、１１Ｙ、１１Ｍ、１１Ｃ、１１Ｋ…画像形成ユニット、１２…感光体ドラム、１４、１４Ｙ、１４Ｍ、１４Ｃ、１４Ｋ…発光素子ヘッド、１５、１６Ｙ、１６Ｍ、１６Ｃ、１６Ｋ…現像器、２１…用紙搬送ベルト、２３…転写ロール、２４…定着器、３１…中間転写ベルト、３２…一次転写部、３３…二次転写部、６２…回路基板、６３…発光部、６４…ロッドレンズアレイ、８１…発光素子アレイ、８２…スイッチ素子アレイ、１００…信号発生回路、１１１…補正データ記憶部、Ｃ１〜Ｃ６０…発光チップ、Ｓ１、Ｓ２、Ｓ３、…、Ｓ６５…転送サイリスタ、Ｌ１、Ｌ２、Ｌ３、…、Ｌ６５…発光サイリスタ
【図１】
2013071260.tif 000003
【図２】
2013071260.tif 000004
【図３】
2013071260.tif 000005
【図４】
2013071260.tif 000006
【図５】
2013071260.tif 000007
【図６】
2013071260.tif 000008
【図７】
2013071260.tif 000009
【図８】
2013071260.tif 000010
【図９】
2013071260.tif 000011
【図１０】
2013071260.tif 000012
【図１１】
2013071260.tif 000013
【図１２】
2013071260.tif 000014
【図１３】
2013071260.tif 000015
【図１４】
2013071260.tif 000016
【図１５】
2013071260.tif 000017
【図１６】
2013071260.tif 000018
【図１７】
2013071260.tif 000019